(57)【要約】【課題】  バドミントン等競技者特有の踵部背面側の着地においても十分な衝撃緩衝機能を備えた踵部背面衝撃緩衝構造を提供する。【解決手段】  スポーツシューズの踵部背面に、可撓性を有する材料によって構成された複数のフィン状体１０２、１０４、１０６、１０８を延出形成すると共に、前記複数のフィン状体１０２、１０４、１０６、１０８を、上下に重なるように配置し、当該複数のフィン状体を、踵部背面から水平方向よりも下方に向かって延出形成する。【選択図】図１
2018057579.tif 000002
【特許請求の範囲】
【請求項１】
スポーツシューズの踵部背面衝撃緩衝構造であって、
可撓性を有する材料によって構成された複数のフィン状体が延出形成されており、
前記複数のフィン状体は、上下に重なるように配置されると共に、
当該複数のフィン状体は、踵部背面から水平方向よりも下方に向かって延出形成されている
ことを特徴とするスポーツシューズの踵部背面衝撃緩衝構造。
【発明の詳細な説明】
【技術分野】
【０００１】
本発明は、靴の技術分野に関し、特に詳しくは、スポーツシューズの踵部における衝撃緩衝構造に関するものである。
【背景技術】
【０００２】
従来から、踵が受ける衝撃を緩衝させる目的で、様々な工夫がなされている。
【０００３】
例えば、踵部分にスプリングを内蔵して衝撃を吸収しようとするものや（特許文献１）、踵部分に空気室（エアーバッグ）を内蔵して衝撃を吸収しようとするもの（特許文献２）など、その種類・数は多数となっている。
【先行技術文献】
【特許文献】
【０００４】
【特許文献１】実開昭５５−１３３８０４号公報
【特許文献２】実開昭２８−１８３１０５号公報
【発明の概要】
【発明が解決しようとする課題】
【０００５】
例えばバドミントン競技等では、相手方から打ち込まれたシャトルに追いつくため、足を前後左右に大きく踏み込みつつ把持したラケットでシャトルを打ち返す動作が繰り返される。このとき、踏み込んだプレイヤーの踵は、靴の底面というよりも背面に近い位置からの着地となることも多く、この繰り返される踵背面側からの着地動作によって、アキレス腱炎、脂肪体炎、皮膚障害といったスポーツ障害に悩まされるプレイヤーが多いのが現状である。
【０００６】
踵部の衝撃を緩衝させるための構造は、背景技術として挙げた衝撃緩衝構造など様々なものがあるが、上記のようなバドミントン競技等特有の踵背面側からの着地を考慮しての構造とはなっておらず、競技者の足の踵部の保護としては不十分であった。
【０００７】
そこで本発明は、このような問題点を解決するべくなされたものであって、バドミントン等競技者特有の踵部背面側の着地においても十分な衝撃緩衝機能を備えた踵部背面衝撃緩衝構造を提供することをその課題としている。
【課題を解決するための手段】
【０００８】
上記課題を解決するべく、本願発明は、スポーツシューズの踵部背面衝撃緩衝構造であって、可撓性を有する材料によって構成された複数のフィン状体が延出形成されており、前記複数のフィン状体は、上下に重なるように配置されると共に、当該複数のフィン状体は、踵部背面から水平方向よりも下方に向かって延出形成されていることを特徴とするスポーツシューズの踵部背面衝撃緩衝構造となっている。
【０００９】
このように構成したことによって、バドミントン等競技特有の踵部背面側からの着地において、効果的に衝撃を緩衝することが可能となっている。即ち、背面側に向かって延出形成されているフィン状体は、それ自身が可撓性を有しているので、着地にあたってこのフィン状体が地面（床面）に触れて撓むことによって、着地時の衝撃を緩衝・吸収することができる。
【００１０】
また、フィン状体は、上下に重なるように複数（少なくとも２枚）配置構成されているので、着地衝撃の大きさによって、撓むフィン状体の数が変化し、衝撃の大きさに従って最適な衝撃緩衝機能を発揮させることが可能となっている。
【００１１】
更には、フィン状体が撓むことによって地面（床面）に対して接地面積が増えるので、踏み込み方向に対するブレーキ機能を併せて発揮させることも可能となっている。
【発明の効果】
【００１２】
本発明を適用することで、バドミントン競技者特有の踵部背面側の着地においても十分な衝撃緩衝機能を備えた踵部背面衝撃緩衝構造を提供することができる。
【図面の簡単な説明】
【００１３】
【図１】本発明の実施形態の一例として示した踵部背面衝撃緩衝構造を備えたミッドソールの側面図である。
【図２】本発明の実施形態の一例として示した踵部背面衝撃緩衝構造を備えたミッドソールの背面図である。
【図３】本発明の実施形態の一例として示した踵部背面衝撃緩衝構造を備えたミッドソールの側面図であって、着地した瞬間の状態を模式的に示した図である。
【発明を実施するための形態】
【００１４】
以下、添付図面を参照しつつ、本発明の実施形態の一例であるスポーツシューズの踵部背面衝撃緩衝構造１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１５】
〈踵部背面衝撃緩衝構造の構成〉
本発明の実施形態の一例としてのスポーツシューズの踵部背面衝撃緩衝構造１００は、図１に示している通り、ミッドソール１０に一体成形されたヒールカップ１２の背面に備わる構造となっている。
【００１６】
本実施形態における踵部背面衝撃緩衝構造１００は、４枚の可撓性材料からなるフィン状体（第１のフィン状体１０２、第２のフィン状体１０４、第３のフィン状体１０６、第４のフィン状体１０８）によって構成される。この４枚のフィン状体１０２、１０４、１０６、１０８は、所定の間隔を空けた状態で上下に重なるように配置構成される。
【００１７】
また、４枚のフィン状体は、いずれも、その先端が水平方向（当該踵部背面衝撃緩衝構造１００を備えた靴を地面（床面）に置いた際の水平方向）よりも下方に向かって延出している。
【００１８】
なお、上記では４枚のフィン状体として構成しているが、複数枚である限りにおいて必ずしも４枚に限定されるものではない。
【００１９】
〈踵部背面衝撃緩衝構造の作用・機能〉
上記のような構成を採用したことによって、バドミントン等競技特有の踵部背面側からの着地において、効果的に衝撃を緩衝することが可能となっている。即ち、背面側に向かって延出形成されているフィン状体１０２、１０４、１０６、１０８は、それ自身が可撓性を有しているので、図３に示したように、着地にあたってこのフィン状体１０２、１０４、１０６、１０８が地面（床面）に触れて撓むことによって、着地時の衝撃を緩衝・吸収することができる。
【００２０】
また、フィン状体１０２、１０４、１０６、１０８は、上下に重なるように複数（少なくとも２枚）配置構成されているので、着地衝撃の大きさによって、撓むフィン状体１０２、１０４、１０６、１０８の数が変化し、衝撃の大きさに従って最適な衝撃緩衝機能を発揮させることも可能となっている。
【００２１】
なお、フィン状体１０２、１０４、１０６、１０８を構成する可撓性材料やその厚み、延出長さ等は、競技者の体重や特性、競技会場の床面の性質等に応じて適宜最適に変更することが可能である。また、こういった変更は、フィン状体毎に異ならせて構成することも可能である。
【００２２】
〈その他の構成例〉
上記では、踵部背面衝撃緩衝構造が、ミッドソールに一体成形されたヒールカップ１２の背面に備わる構造となっていたが、必ずしもこれに限定されるものではない。例えば、ヒールカップがミッドソールと一体成形されていなくともよい。また、ヒールカップに直接備わっていなくとも、踵背面側にアウトソールを回り込ませ、当該アウトソールに備わるように構成してもよい。更に、衝撃緩衝機能を発揮するフィン状体の部分を着脱可能に構成し、摩耗等による交換に対応させることも可能である。
【００２３】
なお、上記ではバドミントン競技を例に説明しているが、本発明の踵部背面衝撃緩衝構造は、バドミントン競技以外にも、踵部背面側からの着地が行われ得る競技、例えば、スカッシュ、テニス、卓球、ハンドボール、バスケットボール等々、幅広く適用することが可能である。
【符号の説明】
【００２４】
１０・・・ミッドソール
１２・・・ヒールカップ
１００・・・踵部背面衝撃緩衝構造
１０２・・・第１のフィン
１０４・・・第２のフィン
１０６・・・第３のフィン
１０８・・・第４のフィン
【図１】
2018057579.tif 000003
【図２】
2018057579.tif 000004
【図３】
2018057579.tif 000005
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
スポーツシューズの踵部背面衝撃緩衝構造であって、
可撓性を有する材料によって構成された複数のフィン状体がヒールカップの背面側に延出形成されており、
前記複数のフィン状体は、上下に重なるように配置されると共に、
当該複数のフィン状体は、踵部背面から水平方向よりも下方に向かって延出形成されている
ことを特徴とするスポーツシューズの踵部背面衝撃緩衝構造。